(57)【特許請求の範囲】
【請求項１】
排気通路と吸気通路とに接続され、排気の一部を吸気通路に戻す排気再循環路と、該排気再循環路の接続部より下流側の吸気通路に設けられたインタークーラと、排気通路に設けられたＮＯＸ選択還元触媒、及び該ＮＯＸ選択還元触媒の上流側排気通路に還元剤溶液を供給する還元剤供給装置からなるＮＯＸ浄化装置とを備えた内燃機関において、
前記インタークーラ出口部の吸気通路に設けられた開口と連通し、インタークーラで発生した凝縮水を貯留する凝縮水貯留タンクと、
前記開口に設けられ、前記インタークーラの出口部に凝縮水が溜まったとき開動作して凝縮水を該凝縮水貯留タンク内に流下させる開閉機構と、
前記凝縮水貯留タンクと前記ＮＯＸ選択還元触媒の上流側排気通路とに接続される水蒸気供給路と、
排気通路に送る凝縮水を加熱して水蒸気とする加熱装置と、
該水蒸気供給路に介設され、水蒸気を排気通路に圧送する圧送ポンプとを備え、
前記水蒸気を前記ＮＯＸ選択還元触媒の上流側排気通路に供給するようにしたことを特徴とする内燃機関。
【請求項２】
還元剤溶液の供給領域に流入する排気の温度を検出する温度センサーと、
前記凝縮水供給路に設けられた流量調整弁と、
前記温度センサーの検出値が入力され、該検出値に基づいて前記加熱装置の加熱量又は前記流量調整弁の開度を調整し、還元剤溶液の供給領域に流入する水蒸気の温度又は流量を調整して該領域の排気の温度を設定温度に制御する制御装置とを備えていることを特徴とする請求項１に記載の内燃機関。
【請求項３】
前記水蒸気供給路の出口部に、排気の逆流を防止する逆止弁を設けたことを特徴とする請求項１又は２に記載の内燃機関。
【請求項４】
前記凝縮水貯留タンクと吸気通路とを結ぶ凝縮水供給路と、
凝縮水貯留タンクの凝縮水を前記水蒸気供給路又は凝縮水供給路に切り替え供給可能にする該凝縮水供給路及び該凝縮水供給路の開閉機構とを備えていることを特徴とする請求項１〜３の何れか１項に記載の内燃機関。
【請求項５】
前記還元剤供給装置は、還元剤溶液を排気通路に噴霧する還元剤噴霧ノズルを備えると共に、前記水蒸気供給路の出口端に、水蒸気を排気通路に噴霧する水蒸気噴霧ノズルを備え、
前記水蒸気噴霧ノズルの開口と前記還元剤噴霧ノズルの開口とが互いに対面して配置されていることを特徴とする請求項１〜４の何れか１項に記載の内燃機関。
【発明の詳細な説明】
【技術分野】
【０００１】
本発明は、排気通路にＮＯＸ選択還元触媒を用いた排気浄化装置を備えた内燃機関に関する。
【背景技術】
【０００２】
ディーゼルエンジンの排気ガス浄化方法として、尿素水溶液を用いたＳＣＲ（Ｓｅｌｅｃｔｉｖｅ  Ｃａｔａｌｙｔｉｃ  Ｒｅｄｕｃｔｉｏｎ）システムが実用化されている。ＳＣＲシステムは、排気中のＮＯＸをアンモニアＮＨ３と反応させて還元するＳＣＲ触媒を配設し、ＳＣＲ触媒の上流側に尿素水溶液を噴霧する。尿素は排気の保有熱で還元剤であるアンモニアに分解する。このアンモニアとＳＣＲ触媒に吸着されたＮＯｘとを反応させ、窒素と水に分解することで、ＮＯｘの排出濃度を低減している。
【０００３】
この反応過程は、次の３段階からなる。各ステップの反応に必要な温度は、排気の保有熱を利用する。
第１ステップ：ＣＯ（ＮＨ２）２ａｑ（尿素水溶液）→ＣＯ（ＮＨ２）２（固体尿素）
＜水の蒸発による固体尿素の生成；反応必要温度１００℃以上＞
第２ステップ：ＣＯ（ＮＨ２）２（固体尿素）→ＨＮＣＯ（イソシアン酸）＋ＮＨ３
＜固体尿素の熱分解；反応必要温度１３０〜２００℃＞
第３ステップ：ＨＮＣＯ＋Ｈ２Ｏ→ＮＨ３＋ＣＯ２
＜イソシアン酸の加水分解；反応必要温度２００℃以上＞
【０００４】
ディーゼルエンジン搭載車には排気中の粒子状物質を除去するＤＰＦフィルタ装置（Ｄｉｅｓｅｌ  Ｐａｒｔｉｃｕｌａｔｅ  Ｆｉｌｔｅｒ）が設けられる。ＳＣＲ浄化装置は、車両の排気通路に設ける場合、触媒の耐熱性や配置スペースの観点から、一般的に、ＤＰＦフィルタ装置の下流側で、車両の床下に設けられている。そのため、触媒に到達する排気温度は低温となる。一方、一定温度以上のアンモニア生成温度や触媒活性温度が必要であり、これらの温度は排気の保有熱を利用している。従って、特に、始動時や低速・低負荷走行時等のように、アンモニア生成温度以下の排気温度では、噴射した尿素水溶液の分解反応が進み難く、尿素水溶液のまま触媒の下流側に排出されてしまう。
【０００５】
排気温度を上昇させるために、ポスト噴射のような早期昇温運転を行うことも知られているが、燃費と排気性状の悪化要因となる。前述のように、ＳＣＲ触媒の配置位置はエンジンから遠く、排気温度は大きく低下するため、ＳＣＲ触媒入口の排気温度を上昇させることは容易ではない。
【０００６】
また、排気の一部を吸気側に戻すことで、燃焼室の燃焼温度を下げ、排気中ＮＯＸを低減させる排気再循環（ＥＧＲ）方式が知られている。ＥＧＲ方式には、過給機の排気タービン上流側排気通路からコンプレッサ下流側排気通路に排気を戻す高圧ＥＧＲ方式と、排気タービン下流側で酸化触媒及びＤＰＦフィルタ装置下流側の排気通路からコンプレッサ上流側排気通路に排気を戻す低圧ＥＧＲ方式とがある。低圧ＥＧＲ装置を備えた内燃機関では、排気を含む吸気がインタークーラを通って冷却される際、大量の凝縮水が発生する。従来、この凝縮水は、そのまま吸気と共に吸気通路から燃焼室内に送られていたので、内燃機関の熱効率を悪化させるという問題があった。
【０００７】
特許文献１には、ＳＣＲ浄化装置及び低圧ＥＧＲ装置を備えた内燃機関において、排気再循環路で凝縮した凝縮水を集め、この凝縮水を、粉末固体尿素に混合して尿素水溶液を製造する技術が開示されている。
【先行技術文献】
【特許文献】
【０００８】
【特許文献１】特開２０１０−４３５８５号公報
【発明の概要】
【発明が解決しようとする課題】
【０００９】
特許文献１に開示された技術は、排気再循環路で発生した凝縮水を尿素水溶液の製造に利用する技術が開示されているだけであり、ＳＣＲ触媒上流側の排気温度がアンモニア生成温度以下である場合に、尿素水溶液の分解によるアンモニア生成反応が起こらないという問題を解決するものではない。また、特許文献１に開示された技術は、排気再循環路で凝縮した凝縮水を排気中から回収するものであり、インタークーラの出口側で発生する大量の凝縮水による内燃機関の熱効率悪化を解決するものではない。
【００１０】
本発明は、かかる従来技術の課題に鑑み、ＳＣＲ触媒の上流側排気通路で、内燃機関の運転中、ＳＣＲ触媒上流側の排気温度が低温であってもアンモニア生成反応を必要な時に常に生起させて、ＮＯＸ除去を可能にすると共に、インタークーラ出口側で発生した凝縮水を吸気から除去して内燃機関の熱効率悪化を抑制することを目的とする。
【課題を解決するための手段】
【００１１】
かかる目的を達成するため、本発明の内燃機関は、排気通路と吸気通路とに接続され、排気の一部を吸気通路に戻す排気再循環路と、排気再循環路の接続部より下流側の吸気通路に設けられたインタークーラと、排気通路に設けられたＳＣＲ触媒、及びＳＣＲ触媒の上流側排気通路に還元剤溶液を供給する還元剤供給装置からなるＮＯＸ浄化装置とを備えていることを前提とする。
【００１２】
本発明の内燃機関の特徴的要件は、インタークーラ出口部の吸気通路に設けられた開口と連通し、インタークーラで発生した凝縮水を貯留する凝縮水貯留タンクと、前記開口に設けられ、前記インタークーラの出口部に凝縮水が溜まったとき開動作して凝縮水を該凝縮水貯留タンク内に流下させる開閉機構と、前記凝縮水貯留タンクとＳＣＲ触媒の上流側排気通路とに接続される水蒸気供給路と、排気通路に送る凝縮水を加熱して水蒸気とする加熱装置と、水蒸気供給路に介設され、水蒸気を凝縮水噴霧ノズルに圧送するポンプとを備えていることである。
【００１３】
前記構成により、インタークーラで発生した凝縮水は、開閉機構の開動作によって、凝縮水貯留タンクに貯留される。凝縮水貯留タンクに貯留された凝縮水は、必要なとき、即ち、還元剤溶液供給部付近の排気がアンモニア生成温度に達していないとき、加熱装置で加熱され、水蒸気となって排気通路に供給される。これによって、触媒上流側の排気をアンモニア生成温度以上とすることができ、触媒上流側でアンモニアを生成して、ＮＯＸの還元反応を促進できる。
【００１４】
また、水蒸気を圧送ポンプで排気通路に圧送し、気体状態の水蒸気を排気通路に噴射するので、排気と水蒸気との混合を促進でき、アンモニアの生成を確実に行うことができる。また、インタークーラの出口で大量に発生した凝縮水を吸気から除去できるので、内燃機関の熱効率低下を防止できる。さらに、ポスト噴射のような早期昇温運転に頼ることなく、排気温度を上昇できるので、燃費や排気性状が悪化しない。
【００１５】
本発明において、還元剤溶液の供給領域に流入する排気の温度を検出する温度センサーと、凝縮水供給路に設けられた流量調整弁と、温度センサーの検出値が入力され、該検出値に基づいて加熱装置の加熱量又は流量調整弁の開度を調整し、還元剤溶液の供給領域に流入する水蒸気の温度又は流量を調整して該領域の排気の温度を設定温度に制御する制御装置とを備えているとよい。これによって、還元剤溶液の供給領域の排気温度をアンモニア生成温度以上の設定温度に精度良く制御できる。そのため、凝縮水を過不足なく加熱できるので、省エネを達成できる。
【００１６】
排気通路に水蒸気を噴射すると、排気通路の圧力が上昇し、排気が水蒸気供給路に逆流するおそれがある。これを防止するために、水蒸気供給路の出口部に、排気の逆流を防止する逆止弁を設けるとよい。
【００１７】
また、本発明において、凝縮水貯留タンクと内燃機関入口側吸気通路とを結ぶ凝縮水供給路と、凝縮水貯留タンクの凝縮水を水蒸気供給路又は凝縮水供給路に切り替え供給可能にするこれら供給路の開閉機構とを備えるとよい。排気温度がアンモニア生成温度以上で、排気通路への水蒸気供給が必要でないとき、凝縮水貯留タンク内の凝縮水を吸気通路に供給できる。そのため、凝縮水貯留タンク内の凝縮水が満杯になったときなどに、凝縮水の処理が容易になる。吸気通路に供給された凝縮水は、少量であれば、インレットマニホールドで蒸発し、熱効率を悪化させない。
【００１８】
本発明において、還元剤供給装置は、還元剤溶液を排気通路に噴霧する還元剤噴霧ノズルを備えると共に、水蒸気供給路の出口端に、水蒸気を排気通路に噴霧する水蒸気噴霧ノズルを備え、水蒸気噴霧ノズルの開口と還元剤噴霧ノズルの開口とが互いに対面して配置されているとよい。これによって、還元剤溶液と水蒸気とが排気流を挟んで両側からぶつかり合うので、還元剤溶液と水蒸気とによって排気流が乱され、排気、還元剤溶液及び水蒸気の三相流の混合撹拌が促進する。そのため、三相流の混合撹拌効果と水蒸気の昇温効果との相乗効果で、アンモニアの生成が容易になる。なお、還元剤噴霧ノズルと水蒸気噴霧ノズルとが、排気通路の壁面に設けられ、排気通路に突出しないようにすれば、排気流の流れを妨害せず、排気流の圧力損失を抑制できる。
【００１９】
なお、還元剤噴霧ノズルが水噴霧ノズルに対して排気流れ方向上流側に配置され、還元剤噴霧ノズル及び水噴霧ノズルのノズル開口の噴霧方向が互いに対面するようにかつ両ノズルが排気流に対して斜めに配置されているとよい。還元剤溶液及び水蒸気を排気流に対して斜めに噴霧することで、排気通路の横断面方向の噴霧領域を広げることができる。また、水蒸気噴霧ノズルを排気流の上流側へ向けることで、三相流の混合撹拌をさらに促進できる。
【００２０】
還元剤噴霧ノズルから噴霧される還元剤溶液の量は、水噴霧ノズルから噴霧される水の量より多い。そのため、還元剤噴霧ノズルのノズル開口を排気流上流側に向けると、排気の流れを妨害し、排気流の圧力損失が増加し、内燃機関の性能低下につながる。従って、還元剤噴霧ノズルを水蒸気噴霧ノズルより上流側に配置し、還元剤噴霧ノズルのノズル開口を下流側に向けることで、排気流の圧力損失を抑制し、内燃機関の性能低下をなくすことができる。
【００２１】
さらに、還元剤噴霧ノズル及び水噴霧ノズルのノズル開口の軸線が同一線上にあるようにするとよい。これによって、還元剤溶液と水蒸気とが排気流の両側から排気流を挟んで正面から衝突するので、三相流の混合撹拌がさらに促進される。
【発明の効果】
【００２２】
本発明によれば、インタークーラ出口側で発生した凝縮水を凝縮水貯留タンクに貯留し、ＳＣＲ触媒上流側の排気がアンモニア生成温度に達していないとき、水蒸気供給路から水蒸気を排気通路に供給するので、ＳＣＲ触媒上流側の排気をアンモニア生成温度以上とすることができる。これによって、アンモニアの生成を促進でき、ＮＯＸの還元反応を促進できる。また、水蒸気をポンプで排気通路に圧送し、排気通路に噴射させるようにしているので、排気と水蒸気との混合を促進でき、アンモニアの生成を確実に行うことができる。さらに、インタークーラの出口で大量に発生した凝縮水を吸気から除去できるので、内燃機関の熱効率低下を防止できる。
【図面の簡単な説明】
【００２３】
【図１】本発明装置の第１実施形態を示す全体構成図である。
【図２】前記第１実施形態の部分拡大断面図である。
【図３】本発明装置の第２実施形態を示す全体構成図である。
【発明を実施するための形態】
【００２４】
以下、本発明を図に示した実施形態を用いて詳細に説明する。但し、この実施形態に記載されている構成部品の寸法、材質、形状、その相対配置などは特に特定的な記載がない限り、この発明の範囲をそれのみに限定する趣旨ではない。
【００２５】
（実施形態１）
本発明を車載用ディーゼルエンジンに適用した第１実施形態を図１及び図２に基づいて説明する。図１において、車載用ディーゼルエンジン１０のシリンダブロック１２の上部にシリンダヘッド１４が設けられ、シリンダヘッド１４に吸気管１６及び排気管１８が接続されている。吸気管１６には、吸気側の上流側から順に、エアフィルタ２０、低圧ＥＧＲ装置用流量調整弁２２、過給機２４の排気タービン、及びインタークーラ２６が設けられている。
【００２６】
インタークーラ２６の出口には、排気管１８の下面に設けられた開口２８ａと連通する凝縮水貯留タンク２８、及び開口２８ａを開閉する開閉機構３０が設けられている。開閉機構３０は、エンジン停止時等、インタークーラ２６の出口部に凝縮水が溜まった時、制御装置８２によって開動作する。これによって、凝縮水が凝縮水貯留タンク２８内に流下する。開口２８ａは、インタークーラ２６で発生した凝縮水が流入しやすいように、吸気管１８の底面に設けられている。凝縮水貯留タンク２８の下流側に、上流側から順に、高圧ＥＧＲ用流量調整弁３２、酸素濃度センサー３４及び温度センサー３６が設けられている。
【００２７】
排気管１８には、シリンダブロック１２側から順に、過給機２４のコンプレッサ、酸素濃度センサー３７、酸化触媒３８及びＤＰＦフィルタ装置４０が設けられている。酸化触媒３８は、例えば白金のような貴金属触媒を担持しており、排気中のＮＯをＮＯ２に転換する作用と、排気中のＨＣやＣＯなどの有害成分を酸化させる作用をもつ。ＮＯ２はＮＯより酸化作用が強く、ＮＯ２によってＤＰＦフィルタ装置４０に捕獲された粒子状物質の酸化反応が促進され、また、後述するＮＯＸ選択還元触媒（ＳＣＲ触媒）４８でのアンモニアによる還元作用が促進される。ＤＰＦフィルタ装置４０は、排気中の粒子状物質を捕獲するフィルタ装置である。ＤＰＦフィルタ装置４０に捕獲された粒子状物質は、ＮＯ２の強力な酸化作用で燃焼除去される。
【００２８】
ＤＰＦフィルタ装置４０の下流側には、排気中のＮＯＸ量を検出するＮＯＸセンサー４２、温度センサー４４が設けられ、これらセンサーの直下流側に、尿素水溶液を排気通路に供給する尿素水供給装置４６が設けられている。尿素水供給装置４６の下流側にＳＣＲ触媒４８を内蔵した触媒コンバータ５０が設けられている。触媒コンバータ５０の下流側に、ＮＯＸセンサー５２及び温度センサー５４が設けられている。
【００２９】
また、高圧ＥＧＲ装置５６及び低圧ＥＧＲ装置６２が設けられている。高圧ＥＧＲ装置５６は、過給機２４の排気タービン上流側の排気管１８と、インタークーラ２６下流側の吸気管１８とを接続する高圧ＥＧＲ管５８と、高圧ＥＧＲ路５８に設けられた高圧ＥＧＲクーラ６０とで構成されている。高圧ＥＧＲ管５８の吸気管１６に対する接続部は、高圧ＥＧＲ用流量調整弁３２の下流側に位置している。低圧ＥＧＲ装置６２は、ＤＰＦフィルタ装置４０下流側の排気管１８と過給機２４のコンプレッサ上流側の吸気管１６とを接続する低圧ＥＧＲ管６４と、低圧ＥＧＲ管６４に設けられたＥＧＲフィルタ６５及び低圧ＥＧＲクーラ６６とで構成されている。低圧ＥＧＲ管６４の吸気管１６に対する接続部は、低圧ＥＧＲ装置用流量調整弁２２の下流側に位置している。
【００３０】
また、凝縮水貯留タンク２８と触媒コンバータ５０の上流側排気管１８とを接続する水蒸気供給管６８が設けられ、凝縮水貯留タンク２８の外周面を囲むように電熱ヒータ７０が設けられている。電熱ヒータ７０より排気管１８側の水蒸気供給管６８には、圧送ポンプ７２が介設されている。また、水蒸気供給管６８の入口には、流量調整弁７４が介装され、水蒸気供給管６８の出口、即ち圧送ポンプ７２の下流側に、逆止弁７６が介装されている。
【００３１】
また、凝縮水貯留タンク２８と温度センサー３６の下流側吸気管１８とを接続する凝縮水供給管７８が設けられ、凝縮水供給管７８の入口には、流量調整弁８０が介装されている。流量調整弁７４及び流量調整弁８０の開閉動作は、制御装置８２によって切替え制御される。これによって、凝縮水貯留タンク２８に貯留した凝縮水ｃを、水蒸気供給管６８又は凝縮水供給管７８に切り替え供給できる。
【００３２】
図２に示すように、尿素水供給装置４６は、排気管１８に設けられた尿素水噴霧ノズル８３を備え、尿素水噴霧ノズル８３によって排気中に尿素水溶液が噴霧される。尿素水噴霧ノズル８３のやや下流側排気管１８の壁部に、水蒸気噴霧ノズル８４が設けられ、水蒸気噴霧ノズル８４に水蒸気供給管６８が接続されている。水蒸気噴霧ノズル８４から水蒸気ｓが排気中に噴霧される。尿素水噴霧ノズル８３は、水平部１８ｂの上壁に装着され、排気下流側に向けて斜めに配置されている。一方、水蒸気噴霧ノズル８４は、水平部１８ｂの底壁に装着され、排気上流側に向けて斜めに配置されている。
【００３３】
即ち、尿素水噴霧ノズル８３と水蒸気噴霧ノズル８４とは、水平部１８ｂの上壁と底壁とに排気通路を挟んで、互いに対面している。また、尿素水噴霧ノズル８３のノズル開口８３ａと水蒸気噴霧ノズル８４のノズル開口８４ａの軸線ｘが一致するように、両ノズル開口の位置及び方向が設定されている。そのため、排気中に噴霧された尿素水溶液と水蒸気とは、互いに両側から排気流を巻き込みながら正面衝突する。従って、排気、尿素水溶液及び水蒸気の三相流の混合撹拌が促進される。これによって、尿素水噴霧ノズル８３付近及びその下流側の排気は、急速昇温し、アンモニア生成温度に達する。
【００３４】
かかる構成において、シリンダヘッド１４から排出された排気ｅは、過給機２４の排気タービンを回転させる。該排気タービンと共に、過給機２４のコンプレッサが回転し、吸気ａを吸気管１６に吸入する。前記各センサーの検出値は制御装置８２に入力される。各流量調整弁２２、３２、７４及び８０の開度は、制御装置８２によって制御される。また、凝縮水貯留タンク２８の開閉機構３０、電熱ヒータ７０の電源装置７０ａ及び圧送ポンプ７２の作動も、制御装置８２によって制御される。
【００３５】
車載用ディーゼルエンジン１０の運転中、シリンダヘッド１４から排出された排気ｅ中のＮＯは、酸化触媒３８でＮＯ２に転換され、ＤＰＦフィルタ装置４０に捕獲された粒子状物質はＮＯ２の酸化作用で燃焼除去される。ＤＰＦフィルタ装置４０の下流側で、尿素水供給装置４６から尿素水溶液が噴霧され、排気の保有熱でアンモニアが生成される。下流側の触媒コンバータ５０では、アンモニアによってＳＣＲ触媒４８に吸着されたＮＯＸが還元され、無害化される。
【００３６】
車載用ディーゼルエンジン１０の運転中、特に始動時に、インタークーラ２６の出口部には大量の凝縮水が発生する。この凝縮水を、制御装置８２によって開閉機構３０を開動作させることで、凝縮水貯留タンク２８に流下させる。車載用ディーゼルエンジン１０の運転中、温度センサー４４によって検出された排気温度がアンモニア生成温度に達しないとき、制御装置８２によって流量調整弁７４が開放され、かつ電熱ヒータ７０及び圧送ポンプ７２が作動する。凝縮水ｃは、圧送ポンプ７２によって尿素水供給装置４６に向けて圧送され、水蒸気供給管６８を流れる間に加熱され水蒸気となる。
【００３７】
制御装置８２には、温度センサー４４の検出値が入力され、制御装置８２は、温度センサー４４の検出値が２００℃以上の設定値となるように、電熱ヒータ７０加熱量又は流量調整弁７４の開度を調整する。これによって、尿素水溶液供給部付近の排気温度が設定値に維持されるので、尿素からアンモニアが確実に生成される。そのため、触媒コンバータ５０でのＮＯＸの還元反応を促進して、ＮＯＸを無害化できる。
【００３８】
なお、凝縮水貯留タンク２８に溜まった凝縮水ｃは、制御装置８２によって流量調整弁７４及び８０の開閉を切り替えることによって、凝縮水供給管７８に流すこともできる。即ち、排気管１８に水蒸気を供給する必要がなく、凝縮水貯留タンク２８が凝縮水ｃで満杯になったとき、便宜的に凝縮水を吸気管１６に流すことができる。少量の凝縮水ならば、吸気ａの保有熱で蒸発し、エンジンの熱効率の低下を招かない。また、尿素水溶液供給部付近の排気温度が十分高いときなど、場合によっては、凝縮水を加熱せずに、凝縮水のまま排気管１８に供給してもよい。これによって、尿素水溶液に含まれる水分量だけでは不足する場合に、水分量を補うことができる。
【００３９】
本実施形態によれば、触媒コンバータ５０上流側の排気ｅがアンモニア生成温度に達していないとき、水蒸気供給管６８から水蒸気を排気管１８に供給するので、触媒コンバータ５０上流側の排気をアンモニア生成温度以上とすることができる。これによって、尿素からアンモニアを確実に生成でき、触媒コンバータ５０でのＮＯＸの還元反応を促進できる。また、水蒸気ｓを圧送ポンプ７２で圧送し、水蒸気噴霧ノズル８４から排気管１８内に高圧で噴霧するようにしているので、水蒸気ｓと排気ｅとの混合を促進でき、アンモニアの生成を確実に行うことができる。
【００４０】
また、インタークーラ２６の出口で大量に発生した凝縮水を吸気ａから除去できるので、車載用ディーゼルエンジン１０の熱効率低下を防止できる。また、尿素水噴霧ノズル８３の上流側で温度センサー４４によって排気温度を検出し、温度センサー４４の検出値がアンモニア生成温度、好ましくは２００℃以上の設定値となるように、制御装置８２によって電熱ヒータ７０の加熱量又は流量調整弁７４の開度を調整しているので、電熱ヒータ７０の加熱量を過不足なく調整でき、省エネを達成できる。さらに、ポスト噴射のような早期昇温運転に頼ることなく、排気温度を上昇できるので、燃費や排気性状が悪化しない。
【００４１】
また、水蒸気供給管６８の出口に逆止弁７６を設けているので、排気管１８から排気ｅが逆流するのを防止できる。また、凝縮水貯留タンク２８と吸気管１６とを結ぶ凝縮水供給管７８を設け、選択的に凝縮水ｃを吸気管１６に供給できるようにしたので、凝縮水貯留タンク２８が満杯になった時など、凝縮水の処理が容易になる。
【００４２】
また、尿素水噴霧ノズル８３のノズル開口８３ａと水蒸気噴霧ノズル８４のノズル開口８４ａとは、排気流を挟んで互いに対面するように配置され、かつ両ノズル開口の軸線ｘが一致しているので、尿素水溶液と水蒸気とは排気流を挟んで正面衝突する。これによって、排気、尿素水溶液及び水蒸気の三相流の混合撹拌が促進される。
【００４３】
また、尿素水噴霧ノズル８３及び水蒸気噴霧ノズル８４が排気通路の壁面に配置されて排気通路に突出せず、かつ噴霧量が多い尿素水溶液を排気流の下流側に向かって噴霧しているので、排気の流れを大きく乱さなくて済む。これによって、排気流の圧力損失を抑制できる。また、尿素水溶液及び水蒸気を排気流に対して斜め方向に噴霧しているので、排気管１８の横断面方向での噴霧領域を広げることができ、これによって、三相の混合撹拌効果を向上できる。また、水蒸気噴霧ノズル８４を排気流の上流側へ向けているので、水蒸気の撹拌効果を向上できる。これらの混合撹拌効果と水蒸気の噴霧による排気の昇温との相乗効果によって、尿素水溶液噴霧域及びその下流側の排気を急速に２００℃以上に昇温できる。従って、アンモニアの生成とＳＣＲ触媒４８でのＮＯＸ浄化を確実に行うことができる。
【００４４】
なお、凝縮水を加熱する加熱装置は、凝縮水貯留タンク２８に設けてもよい。そして、凝縮水貯留タンク２８に貯留した凝縮水を加熱して水蒸気とし、この水蒸気を凝縮水供給管６８又は凝縮水供給管７８を通して、排気管１８又は吸気管１６に選択的に供給するようにしてもよい。吸気管１６に水蒸気を供給すれば、車載用ディーゼルエンジン１０の熱効率低下を抑制できる。
【００４５】
（実施形態２）
次に、本発明装置の第２実施形態を図３により説明する。本実施形態は、前記第１実施形態と同様に、車載用ディーゼルエンジンに適用したものである。本実施形態では、第１実施形態に設けられている凝縮水供給管７８及び流量調整弁８０等を除去し、凝縮水を吸気管１６に供給しないようにしている。その他の構成は第１実施形態と同一であり、同一部分の説明を省略する。
【００４６】
本実施形態によれば、凝縮水供給管７８及び流量調整弁８０等をなくしたので、その分設備費を低コストにできる。また、凝縮水貯留タンク２８に貯留した凝縮水は、吸気ａに供給しないので、車載用ディーゼルエンジン１０の熱効率を低下させなくて済む。
【産業上の利用可能性】
【００４７】
本発明によれば、内燃機関の運転中、ＮＯＸ選択還元触媒の上流側でアンモニア生成反応を常に生起できると共に、インタークーラ出口側で発生した凝縮水を吸気から除去して内燃機関の熱効率悪化をなくすことができる。
【符号の説明】
【００４８】
１０                        車載用ディーゼルエンジン
１２                        シリンダブロック
１４                        シリンダヘッド
１６                        吸気管
１８                        排気管
２０                        エアフィルタ
２２                        低圧ＥＧＲ装置用流量調整弁
２４                        過給機
２６                        インタークーラ
２８                        凝縮水貯留タンク
２８ａ                      開口
３０                        開閉機構
３２                        高圧ＥＧＲ用流量調整弁
３４、３７                  酸素濃度センサー
３６、４４、５４            温度センサー
３８                        酸化触媒
４０                        ＤＰＦフィルタ装置
４２、５２                  ＮＯＸセンサー
４６、８４                  噴霧ノズル
４８                        ＳＣＲ触媒
５０                        触媒コンバータ
５６                        高圧ＥＧＲ装置
５８                        高圧ＥＧＲ管
６０                        高圧ＥＧＲクーラ
６２                        低圧ＥＧＲ装置
６４                        低圧ＥＧＲ管
６５                        ＥＧＲフィルタ
６６                        低圧ＥＧＲクーラ
６８                        水蒸気供給管
７０                        電熱ヒータ
７０ａ                      電源装置
７２                        圧送ポンプ
７４、８０                  流量調整弁
７６                        逆止弁
７８                        凝縮水供給管
８２                        制御装置
８３                        尿素水噴霧ノズル
８３ａ、８４ａ              ノズル開口
８４                        凝縮水噴霧ノズル
ａ                          吸気
ｃ                          凝縮水
ｅ                          排気
ｓ                          水蒸気
【図１】
0005804376.tif 000002
【図２】
0005804376.tif 000003
【図３】
0005804376.tif 000004